(57)【要約】 【課題】  本発明は、全体を同厚で曲折成形したトングにおいて、中間曲折部における部分的な後処理により、軽快な弾性力を発揮させる調理用のトングを提供することを目的とするものである。 【解決手段】  本発明は、その全体を所定形状と大きさと長さに弯曲成形した適当厚さに成る本体の左右両操作部の中間曲折部５の内側面部又は外側面部の適所において、適当間隔をおいた適当巾と深さに成る凹溝６，８を適当数設けて成るものである。【選択図】    図１１
2020048809.tif 000002
【特許請求の範囲】
【請求項１】
全体を所定形状と大きさと長さに弯曲成形した適当厚さに成る本体の左右両操作部の中間曲折部の内側面部の適所において、適当間隔をおいた適当巾と深さの凹溝を適当数設けて成ることを特徴とするトング。
【請求項２】
全体を所定形状と大きさと長さに弯曲成形した適当厚さの本体の左右両操作部の中間曲折部の外側面部の適所において、適当間隔をおいた適当巾と深さの凹溝を適当数設けて成ることを特徴とするトング。
【発明の詳細な説明】
【技術分野】
【０００１】
本発明は、調理等において食品挟みとして使用するトングに関するものである。
【背景技術】
【０００２】
食品等の調理用の物挟みとして使用するトングは、所定形状に曲折相対した操作部の中間部が弾力弯形に構成されているが、この中間曲折部において弾力性を発揮させるためには種々の工夫がなされているところ、次に例示する公知文献がある。
【先行技術文献】
【特許文献】
【０００３】
【特許文献１】特許第４０２２９２４号公報
【特許文献２】実用新案登録第３１４６７２５号公報
【特許文献３】実用新案登録第３１５１１３９号公報
【特許文献４】実用新案登録第３１７２３３９号公報
【特許文献５】実用新案登録第３１９９０１５号公報
【特許文献６】実用新案登録第３１７４６２７号公報
【０００４】
しかしながら、特許文献１のトングにあっては、弾性弯曲形状部の前後両方向の周縁部をロール加工して上縁と下縁をそれぞれ円弧状に形成して薄厚状態に成形することにより弾性力を発揮させようとしているものであるが、そのための工程を特別に必要とすることから生産コストが高くなるのみならず、必要な弾性力を発揮できるとは限らない欠点がある。
【０００５】
また、前記特許文献２〜５のトングは、いずれも把持部と操作部は合成樹脂材によって構成し、この両者を金属材の曲折折返し部で連結するという構成を採るものであるため、生産コストがかかる欠点があった。
【０００６】
さらに、特許文献６は本件発明者の登録に係る考案であるところ、中間曲折部における弾性力をより効果的に発揮させようと、後記のように改良するものである。
【発明の概要】
【発明が解決しようとする課題】
【０００７】
そこで、本発明は、前記特許文献６に係る全体をステンレス鋼を同厚で曲折成形したトングにおいて、中間曲折部における部分的な後処理によって軽快な弾性力をより発揮させるトングを提供することを目的とするものである。
【課題を解決するための手段】
【０００８】
本発明は、全体を所定形状と大きさと長さに弯曲成形した適当厚さに成る本体の左右両操作部の中間曲折部の内側面部の適所において、適当間隔をおいた適当巾と深さの凹溝を適当数設けて成るものである。
【０００９】
また本発明は、全体を所定形状と大きさと長さに弯曲成形した適当厚さの本体の左右両操作部の中間曲折部の外側面部の適所において、適当間隔をおいた適当巾と深さの凹溝を適当数設けて成るものである。
【発明の効果】
【００１０】
本物品の使用者は、いま本体の左右両操作部を把持してその先端把持部によって食品を把持したときは、中間曲折部における軽い弾力作用によって食品を移動することができるから、子供でも安心して使うことができる。
【００１１】
この食品に対する軽い弾力による挟み込み効果は、多数の凹溝巾が中間曲折部の両内側部又は両外側部などのいずれに設けられていても変わりはなく軽快である。
【図面の簡単な説明】
【００１２】
【図１】一例の正面図
【図２】一例の平面図
【図３】一例のＡ−Ａ線断面図
【図４】一例のＢ−Ｂ線拡大平面図
【図５】他例の正面図
【図６】他例の平面図
【図７】他例のＣ−Ｃ線拡大平面図
【図８】他々例の正面図
【図９】他々例の平面図
【図１０】他々例の図９Ｄ−Ｄ線断面図
【図１１】他々例の図９Ｅ−Ｅ線拡大平面図
【図１２】他々々例の正面図
【図１３】他々々例の平面図
【図１４】他々々例のＦ−Ｆ線断面図
【図１５】他々々例のＧ−Ｇ線拡大平面図
【発明を実施するための形態】
【００１３】
本発明は、全体を所定形状と大きさと長さと厚さに弯曲成形した本体の左右両側操作部の中間曲折部の両内側部又は両外側部における適所において適当巾と深さの凹溝を適当数設けて成るものである。
【実施例】
【００１４】
１は全体を所定形状と大きさと長さと厚さに弯曲成形した本体で、この本体は業務用と家庭用とではその形状は同じでも大きさや長さや厚さ等はやや異なる。
【００１５】
２，２は前記本体１の左右両側の操作部で、この操作部の先端把持部３，３は常時浮上状態にあるように操作部の中間適所に接地突部４，４，４，４を設ける。
【００１６】
５は前記本体１の左右両操作部２，２の中間曲折部で、この中間曲折部を挟んで、両内側部には少許巾の凹溝６・・６・・を適当数設ける。（図４参照）
【００１７】
他の実施例では、少許巾の凹溝７・・７・・は中間曲折部５を挟んで、両外側部に適当数設けている。（図７参照）
【００１８】
前記本体１の中間曲折部５における内外側いずれへの少許巾凹溝６，７列の設けは、左右両操作部２，２の中間曲折部５において材厚を削除することにより、当該部分における反発弾力性を発揮させるためである。
【００１９】
さらに、本発明の実施例としては、図８以下に示したものがあり、同じ目的を達成しようとするものである。
【００２０】
図８乃至図１１の実施例にあっては、前記図１乃至図４の実施例において弯曲折した本体１の中間曲折部５の内側面部に少許巾の凹溝８を設けた例である。
【００２１】
図１２乃至図１５の実施例にあっては、前記図５ないし図７の実施例において弯曲折した本体１の中間曲折部５の外側面部に少許巾の凹溝９を設けた例である。
【００２２】
以上の実施例の他に、前記図８乃至図１１の実施例においては、本体１の中間曲折部５の内側面部に少許巾の凹溝８・・を設けた例や、前記図１２乃至図１５の実施例においては、本体１の中間部５の外側面部に少許巾の凹溝９・・を設けた例などもあり得るのである。
【符号の説明】
【００２３】
１                          本体
２，２                      操作部
３，３                      先端把持部
４，４，４，４              接地突部
５                          中間曲折部
６・・６・・                凹溝
７・・７・・                凹溝
８                          凹溝
９                          凹溝
【図１】
2020048809.tif 000003
【図２】
2020048809.tif 000004
【図３】
2020048809.tif 000005
【図４】
2020048809.tif 000006
【図５】
2020048809.tif 000007
【図６】
2020048809.tif 000008
【図７】
2020048809.tif 000009
【図８】
2020048809.tif 000010
【図９】
2020048809.tif 000011
【図１０】
2020048809.tif 000012
【図１１】
2020048809.tif 000013
【図１２】
2020048809.tif 000014
【図１３】
2020048809.tif 000015
【図１４】
2020048809.tif 000016
【図１５】
2020048809.tif 000017
【手続補正書】
【提出日】令和1年12月16日(2019.12.16)
【手続補正１】
【補正対象書類名】明細書
【補正対象項目名】全文
【補正方法】変更
【補正の内容】
【発明の詳細な説明】
【技術分野】
【０００１】
本発明は、調理等において食品挟みとして使用するトングに関するものである。
【背景技術】
【０００２】
食品等の調理用の物挟みとして使用するトングは、所定形状に曲折相対した操作部の中間部分が弾力弯形に構成されているが、この中間曲折部において弾力性を発揮させるためには種々の工夫がなされているところ、次に例示する公知文献がある。
【先行技術文献】
【特許文献】
【０００３】
【特許文献１】特許第４０２２９２４号公報
【特許文献２】実用新案登録第３１４６７２５号公報
【特許文献３】実用新案登録第３１５１１３９号公報
【特許文献４】実用新案登録第３１７２３３９号公報
【特許文献５】実用新案登録第３１９９０１５号公報
【特許文献６】実用新案登録第３１７４６２７号公報
【０００４】
しかしながら、特許文献１のトングにあっては、弾性弯曲形状部の前後両方向の周縁部をロール加工して上縁と下縁をそれぞれ円弧状に形成して薄厚状態に成形することにより弾性力を発揮させようとしているものであるが、そのための工程を特別に必要とすることから生産コストが高くなるのみならず、必要な弾性力を発揮できるとは限らない欠点がある。
【０００５】
また、前記特許文献２〜５のトングは、いずれも把持部と操作部は合成樹脂材によって構成し、この両者を金属材の曲折折返し部で連結するという構成を採るものであるため、生産コストがかかる欠点があった。
【０００６】
さらに、特許文献６は本件発明者の登録に係る考案であるところ、中間曲折部における弾性力をより効果的に発揮させようと、後記のように改良するものである。
【発明の概要】
【発明が解決しようとする課題】
【０００７】
そこで、本発明は、前記特許文献６に係る全体をステンレス鋼を同厚で曲折成形したトングにおいて、中間曲折部における部分的な後処理によって軽快な弾性力をより発揮させるトングを提供することを目的とするものである。
【課題を解決するための手段】
【０００８】
本発明は、全体を所定形状と大きさと長さに弯曲成形した適当厚さに成る把持本体の左右両操作部の中間曲折部の内側面部の適所において、適当間隔をおいた適当巾と深さに成る溝を適当数設けて成るものである。
【０００９】
また本発明は、全体を所定形状と大きさと長さに弯曲成形した適当厚さの把持本体の左右両操作部の中間曲折部の外側面部の適所において、適当間隔をおいた適当巾と深さに成る溝を適当数設けて成るものである。
【００１０】
また本発明は、把持本体の左右両操作部の中間曲折部の内側面部又は外側面部の各中心にも溝を設けて成るものである。
【発明の効果】
【００１１】
本物品の使用者は、いま把持本体の左右両操作部を把持してその先端把持部によって食品を把持したときは、中間曲折部における軽い弾力作用によって食品を移動することができるから、子供でも安心して自由に使うことができる。
【００１２】
この食品に対する軽い弾力による挟み込み効果は、多数の溝巾が中間曲折部の両内側部又は両外側部などのいずれに設けられていても変わりはなく軽快である。
【００１３】
本発明においては、食品挟みとして使用するトングの金属材はステンレス鋼であるところ、これを把持して使用するためにはより薄厚材であることが望まれるから、本発明の構成において把持本体の中間曲折部の内側面部及び又は外側面部に設ける把持本体の中間曲折部における各溝の形状は、凹形であろうとＵ形であろうとＶ形であろうと、把持本体の材厚を考えれば、その発条力と強靭さにおいて差異はない。
【００１４】
本発明においては、把持本体に接地突起部を離間して２か所に設けているのは、使用者は持ち手を前方部又は後方部に自由に変えることによって食品の保持を確実にすることができ、特に子供にとっては、小物を前方の突起部によって片手で把持すれば確実に取り上げることができるのである。
【図面の簡単な説明】
【００１５】
【図１】一例の正面図
【図２】一例の平面図
【図３】一例のＡ−Ａ線断面図
【図４】一例のＢ−Ｂ線より見た拡大平面図
【図５】他例の正面図
【図６】他例の平面図
【図７】他例のＣ−Ｃ線より見た拡大平面図
【図８】他々例の正面図
【図９】他々例の平面図
【図１０】他々例の図９Ｄ−Ｄ線断面図
【図１１】他々例の図９Ｅ−Ｅ線より見た拡大平面図
【図１２】他々々例の正面図
【図１３】他々々例の平面図
【図１４】他々々例のＦ−Ｆ線断面図
【図１５】他々々例のＧ−Ｇ線より見た拡大平面図
【図１６】把持本体の中間曲折部における他の溝設置例を示す。
【発明を実施するための形態】
【００１６】
本発明は、全体を所定形状と大きさと長さと厚さに弯曲成形した把持本体の左右両側操作部の中間曲折部の両内側面部及び又は両外側面部における適所において、適当巾と深さの溝を適当数設けて成るものである。
【００１７】
また、設ける前記溝の数は、トング自体の大きさや寸法等の違いによって設計変更すればよいのである。
【実施例】
【００１８】
１は全体を所定形状と大きさと長さと厚さに弯曲成形した把持本体で、この把持本体は業務用と家庭用とではその形状は同じでも、大きさや長さや厚さ等はやや異なる。
【００１９】
２，２は前記把持本体１の左右両側部に並行形成する両操作部で、この両操作部の先端把持部３，３が常時浮上状態にあるように両操作部の中間適所には間隔をおいて接地突部４，４，４，４を設けている。
【００２０】
５は前記把持本体１の左右両操作部２，２の中間曲折部で、この中間曲折部を挟んで、両内側面部には少許巾と深さの溝６・・６・・を適当数設ける。（図４参照）
【００２１】
他の実施例では、少許巾と深さの溝７・・７・・は中間曲折部５を挟んで左右両外側面部に適当数設けている。（図７参照）
【００２２】
前記把持本体１の中間曲折部５における内外両側面部にあっては、いずれへの少許巾と深さの溝６，７列の設けは、左右両操作部２，２の中間曲折部５において部材厚さを削除することにより、当該部分において反発弾力性を発揮させるためのものである。例えば、１ｍｍの材厚に対して溝を打ち込み、最下点が約０．５ｍｍであれば約６０〜７０％の力で握ることができかつ加工硬化によって弾力性を発揮するようになるのである。
【００２３】
さらに、本発明の実施例としては図８以下において示したものがあり、同じ目的を達成しようとするものである。即ち、
【００２４】
図８乃至図１１の実施例にあっては、前記図１乃至図４の実施例において弯曲折した把持本体１の中間曲折部５の内側面部に少許巾と深さの溝６，６・・を設けるとともにその中心部に溝８を設けた例である。
【００２５】
図１２乃至図１５の実施例にあっては、前記図５ないし図７の実施例において弯曲折した把持本体１の中間曲折部５の外側面部に少許巾と深さの溝７・・を設けるとともにその中心部に溝９を設けた例である。
【００２６】
前記実施例において構成する各溝６，７，８，９の形状は、凹型でもＵ型でもＶ型でも任意であり、その成形のために使用する金型の種類は問わない。
【００２７】
さらに、図１６の（１）（２）（３）（４）（５）（６）の各図の実施例にあっては、把持本体１の中間曲折部５の内側面部又は外側面部において、少許巾と深さに成るＵ型，Ｖ型，凹型の様々な形状の溝を任意位置に設けた例を示している。
【符号の説明】
【００２８】
１                          把持本体
２，２                      操作部
３，３                      先端把持部
４，４，４，４              接地突部
５                          中間曲折部
６・・６・・                溝
７・・７・・                溝
８                          溝
９                          溝
【手続補正２】
【補正対象書類名】特許請求の範囲
【補正対象項目名】全文
【補正方法】変更
【補正の内容】
【特許請求の範囲】
【請求項１】
全体を所定形状と大きさと長さに弯曲成形した適当厚さに成る把持本体の左右両操作部の中間曲折部の内側面部の適所において、適当間隔をおいた適当巾と深さに成る溝を適当数設けて成ることを特徴とするトング。
【請求項２】
全体を所定形状と大きさと長さに弯曲成形した適当厚さの把持本体の左右両操作部の中間曲折部の外側面部の適所において、適当間隔をおいた適当巾と深さに成る溝を適当数設けて成ることを特徴とするトング。
【請求項３】
把持本体の中間曲折部の内側面部中心に溝を設けたことを特徴とする請求項１に記載したトング。
【請求項４】
把持本体の中間曲折部の外側面部中心に溝を設けたことを特徴とする請求項１に記載したトング。
【請求項５】
把持本体の中間曲折部の内側面部中心に溝を設けたことを特徴とする請求項２に記載したトング。
【請求項６】
把持本体の中間曲折部の外側面部中心に溝を設けたことを特徴とする請求項２に記載したトング。
【手続補正３】
【補正対象書類名】図面
【補正対象項目名】図１６
【補正方法】追加
【補正の内容】
【図１６】
2020048809.tif 000018